【事件の表示】
　平成　８年特許願第２５１２１８号「パチンコ玉計数検出器」拒絶査定不服審判事件〔平成１０年　４月１４日出願公開、特開平１０−　９４６３８〕について、次のとおり審決する。
【結　論】
　本件審判の請求は、成り立たない。
【理　由】
１．手続きの経緯
　本願は平成８年９月２４日の出願であって、同１７年７月１４日付の拒絶理由が通知され、同年８月２２日付で意見および手続補正がなされ、同１８年２月２３日付の拒絶査定がなされたのに対して、同年３月１４日付で審判請求と同時に手続補正がなされたものである。
　　　　　　　　　　　　　　　　　　　　　　　　　　　　　　　
２．平成１８年３月１４日付の手続補正についての補正却下の決定
［補正却下の決定の結論］
　平成１８年３月１４日付の手続補正を却下する。
　　　　　　　　　　　　　　　　　　　　　　　　　　　　　　　　
［理由］
［１］補正の内容と補正の適否
　平成１８年３月１４日付の手続補正（以下、「本件補正」という。）は、平成１７年８月２２日付の手続補正された下記１）の特許請求の範囲の請求項１〜６を、下記２）の特許請求の範囲の請求項１〜４とするものである。
　　　　　　　　　　　　　　　　　　　　　　　　　　　　　　
１）平成１７年８月２２日付の手続補正による特許請求の範囲　　　　　　　　　　　　　　　　　　　　　　　　　　
　「【請求項１】
　パチンコ玉の通過路に内側空間がパチンコ玉の通過路に整合するように配置された検出コイルを有する高周波発振回路を含むパチンコ玉検出回路を備え、このパチンコ玉検出回路により検出コイルの内側空間を通過するパチンコ玉を検出して、パチンコ玉を計数するパチンコ玉計数検出器において、
　前記検出コイルを有する高周波発振回路を含むパチンコ玉検出回路は２つ備えられ、２つの検出コイルは、当該２つの検出コイルの中心間隔を前記２つのパチンコ玉検出回路の出力の電気角が９０度となるように、パチンコ玉の直径の１/４に設定し、前記パチンコ玉の通過路に沿って間隔を置いて整合配置したことを特徴とするパチンコ玉計数検出器。
　【請求項２】
　前記２つの検出コイルは、同一ケース内に固定されて設けられていることを特徴とする請求項１記載のパチンコ玉計数検出器。
　【請求項３】
　前記２つの検出コイルは、１つのコイルボビンに前記間隔を置いて巻回されていることを特徴とする請求項２記載のパチンコ玉計数検出器。
　【請求項４】
　前記２つの高周波発振回路で発生する高周波は、相互の干渉をしない程度に差のある異なる周波数であることを特徴とする請求項１、請求項２又は請求項３記載のパチンコ玉計数検出器。
　【請求項５】
　前記パチンコ玉の通過路の入口側に配置されたシールド板を備え、このシールド板に近い方に低い発振周波数の方の検出コイルを配置し、遠い方に高い発振周波数の方の検出コイルを配置したことを特徴とする請求項４記載のパチンコ玉計数検出器。
　【請求項６】
　前記パチンコ玉の直径は１１ｍｍであり、前記２つの検出コイルの中心間の間隔は２．７５ｍｍであることを特徴とする請求項１、請求項２又は請求項３記載のパチンコ玉計数検出器。」
　　　　　　　　　　　　　　　　　　　　　　　　　
２）平成１８年３月１４日付の手続補正による特許請求の範囲
　「【請求項１】
　パチンコ玉が通過する通過孔を有し、この通過孔がパチンコ玉の通過路に沿うように整合配置されたケースと、ケースの通過孔に内側空間が整合するように通過孔に配置された断面「山」字状の１つのコイルボビンと、コイルボビンに巻回された２つの検出コイルと、それぞれ検出コイルを有する高周波発振回路を含む２つのパチンコ玉検出回路とを備え、２つの検出コイルの中心間の間隔はパチンコ玉の直径の１／４に設定されていることを特徴とするパチンコ玉計数検出器。
　【請求項２】
　前記各パチンコ玉検出回路の高周波発振回路で発生する高周波は、相互の干渉をしない程度に差のある異なる周波数であることを特徴とする請求項１記載のパチンコ玉計数検出器。
　【請求項３】
　前記ケースは、パチンコ玉の通過路の入口側においてケースとコイルボビンとの間に配置されたシールド板を備え、このシールド板に近い方に低い発振周波数の方の検出コイルを配置し、遠い方に高い発振周波数の方の検出コイルを配置したことを特徴とする請求項２記載のパチンコ玉計数検出器。
　【請求項４】
　前記パチンコ玉の直径は１１ｍｍであり、前記２つの検出コイルの中心間の間隔は２．７５ｍｍであることを特徴とする請求項１、請求項２又は請求項３記載のパチンコ玉計数検出器。」（以下、「請求項１に記載された発明」を「本願補正発明」という。）
　　　　　　　　　　　　　　　　　　　　　　　　　　　　
３）補正の適否　　　　　　　　　　　　　　　　　　　　
　本件補正は、補正前の請求項１、２を削除し、補正前の請求項３を繰り上げて補正後の請求項１とする補正であって、コイルボビンを「ケースの通過孔に内側空間が整合するように通過孔に配置された断面「山」字状の１つのコイルボビン」とする（以下、「請求項１補正の前者」という。）とともに、請求項１に記載された発明の「２つの検出コイルは、当該２つの検出コイルの中心間隔を前記２つのパチンコ玉検出回路の出力の電気角が９０度となるように、パチンコ玉の直径の１/４に設定し、」の「前記２つのパチンコ玉検出回路の出力の電気角が９０度となるように、」を削除して「２つの検出コイルは、当該２つの検出コイルの中心間隔をパチンコ玉の直径の１/４に設定し、」とする（以下、「請求項１補正の後者」という。）ものである。
　上記したとおり、上記請求項１補正の前者は、補正前の請求項１、２を削除し、補正前の請求項３を繰り上げて補正後の請求項１とする際に、コイルボビンを特定するために限定するものであるから、特許請求の範囲の請求項３に記載された発明を限定的に減縮するための事項に相当するものであり、かつ、上記請求項１補正の後者については、「２つの検出コイルは、当該２つの検出コイルの中心間隔をパチンコ玉の直径の１/４に設定し、」は、実質的に「前記２つのパチンコ玉検出回路の出力の電気角が９０度となるように、」と同じ意味であるから、上記請求項１補正の後者は補正前の実質的に重複する記載の一方を削除するものであって、明りょうでない記載の釈明と解される。
　また、本件補正による補正後の請求項２〜４は、補正前の請求項４〜６を請求項１、２の削除に伴って請求項の繰り上げたものに過ぎない。
　したがって、本件補正は、請求項の削除、特許請求の範囲の減縮、および、明りょうでない記載の釈明のための補正を目的とするものに相当するから、平成１８年改正前特許法第１７条の２第４項の第１号、第２号および第４号に掲げる規定に適合している。
　　　　　　　　　　　　　　　　　　　　　　　　　　　　　　　
　そこで、本願補正発明が、特許出願の際独立して特許を受けることができるものであるか（平成１８年改正前特許法第１７条の２第５項において準用する同法第１２６条第５項に適合するか）について以下に検討する。
　　　　　　　　　　　　　　　　　　　　　　　　　　　　　　　
［２］本願補正発明の独立特許要件の適否
（１）引用例について
　原査定の拒絶理由に引用された刊行物である特開平０５−２５６６０４号公報（以下、「引用例」という。）には、以下の技術事項が図面とともに記載されている。
　　　　　　　　　　　　　　　　　　　　　　　　　　　
・記載事項１
　「【要約】
【目的】  パチンコ玉などの被検出体の移動方向などの移動状況を、正確かつ簡易に検出する。
【構成】  回路基板１３にコイルＬ１を形成し、このコイルのインダクタンス成分を用いて発振する発振回路ＣＯとスイッチング回路ＳＷとからなる検出部を、２個隣接して設け、２個の検出部１０Ａ，１０Ｂの出力状態から、被検出体の移動状況を判別する。パチンコ玉Ｐが貫通孔を通過すると、その移動方向によって、検出部１０Ａ，検出部１０Ｂの出力の変化の順序が異なる。これにより移動方向を検出し、パチンコ遊技盤３に供給されるパチンコ玉の総数を検出する。」
　　　　　　　　　　　　　　　　　　　　　　　　　　
・記載事項２
　「【００１１】
【実施例】以上説明した本発明の構成・作用を一層明らかにするために、以下本発明の検出装置の好適な実施例について説明する。図１は検出部１０の外観を示す斜視図、図２は実施例の検出装置２を備え付けたパチンコ遊技台１の概略構成を示す説明図、図３は検出部１０Ａの分解斜視図、図４は検出部１０の回路図、図５は検出装置全体の回路図である。以下、各図を適宜参照しつつ説明する。
【００１２】この実施例は、パチンコ玉を被検出体としており、検出装置を、パチンコ遊技台１において遊技盤３に向けて発射され実際に遊技に使用されるパチンコ玉の遊技状況を検出するパチンコ玉発射検出装置として用いたものである。このパチンコ玉発射検出装置は、図１に示した検出部１０と、図５に示した移動情報判定部としての制御回路７０とから構成されている。パチンコ遊技台１における使用について説明する関係上、検出部１０から説明する。検出部１０は、図２に示すように、図示しないパチンコ玉発射装置から発射されたパチンコ玉がパチンコ遊技盤３へ飛び出していく発射経路５の途中であって、戻玉経路９との分岐点下流に配置されている。」
　　　　　　　　　　　　　　　　　　　　　　　　　　　
・記載事項３
　「【００１５】図１，図３に示すように、検出部１０は、上蓋１１と下箱１２とを備え、両部材を組み合わせた内部に回路基板１３を備える。この上蓋１１には、略Ｌ字形の１対のＬ字片２１，２２と、略Ｔ字形の１対のＴ字片２３（図中、片側だけを示す）とが設けられおり、下箱１２には、Ｌ字片２１，２２とそれぞれ係合する１対の突出片３１、３２と、Ｔ字片２３と係合する１対の突出片３３、３４（図中、片側だけを示す）とが設けられている。上蓋１１および下箱１２は、各片が係合することにより、ワンタッチで組み合わされて、立方体形状の箱体を形成する。なお、上蓋１１および下箱１２には、パチンコ玉Ｐが貫通する貫通孔４１，４２がそれぞれ設けられている。」
　　　　　　　　　　　　　　　　　　　　　　　　　　　　
・記載事項４
　「【００１９】発振回路ＣＯは、特性が同一の２つのトランジスタを同一チップ内に形成した双トランジスタＴｒ１を備え、この双トランジスタＴｒ１の一方のエミッタとグランドラインとの間に介装されたコンデンサＣ１およびコイルＬ１と、双トランジスタＴｒ１の他方のエミッタとコイルＬ１の中間タップとの間に介装された抵抗器Ｒ３およびコンデンサＣ２とにより、コルピッツ型の高周波発振回路として構成されている。なお、双トランジスタＴｒ１のベースは、抵抗器Ｒ２を介して電源ラインに接続されている。この発振回路ＣＯの発振周波数は、コイルＬ１のインダクタンスとコンデンサＣ１，Ｃ２の容量とで決まり、本実施例ではおよそ３００ＫＨｚとなっている。」
　　　　　　　　　　　　　　　　　　　　　　　　　　
・記載事項５
　「【００２１】発振回路ＣＯが発振している状態で、回路基板１３の貫通孔５１を金属製の被検出体であるパチンコ玉Ｐが通過すると、コイルＬ１の磁束がパチンコ玉Ｐを通り抜けることになり、パチンコ玉Ｐ内には渦電流が流れて電流損失を生じる。パチンコ玉Ｐは通常金属製であるが、パチンコ玉が金属以外の材料で作られ表面にメッキがしてある場合でも、メッキなどの薄膜では断面積が小さいことからかなり大きな渦電流損失となる。渦電流の発生は発振回路ＣＯの発振エネルギを消費することになるから、その高周波発振は著しく減衰しほぼ停止する。
【００２２】パチンコ玉Ｐが貫通孔５１を通過せずコイルＬ１に接近していない状態、即ち、発振回路ＣＯが発振している状態では、トランジスタＴｒ２はオン状態となっており、一方、発振回路ＣＯの発振がほぼ停止状態となると、スイッチング回路ＳＷのトランジスタＴｒ２はターンオフする。抵抗器Ｒ５は抵抗器Ｒ１より抵抗値が小さいから（本実施例では２２０Ω：２７ＫΩ）、トランジスタＴｒ２がオン状態となると、電源端子Ｔ１からトランジスタＴｒ２，抵抗器Ｒ５を介してツェナーダイオードＤ１に流れる電流は、抵抗器Ｒ１を介して流れる電流より増大する（本実施例ではおよそ約１３０倍となる）。この電流は最終的には、検出端子Ｔ２に接続された抵抗器ＲＤを介して接地側に流れ込むから、抵抗器ＲＤの両端電圧、即ちＭＰＵ７２の入力ポートＰの電圧は、トランジスタＴｒ２がオフ状態で約０．２ボルト、オン状態で約４．９ボルトとなる。従って、ＭＰＵ７２は入力ポートＰの状態を監視することで、検出部１０がパチンコ玉Ｐを検出している状態（ロウレベル）、検出していない状態（ハイレベル）を容易に知ることができる。
【００２３】以上のようにして検出部１０Ａ，１０Ｂからの検出信号はＭＰＵ７２の入力ポートＰＡ，ＰＢに入力され、ＭＰＵ７２は発射経路の途中でのパチンコ玉の通過状況を知ることができる。なお、入力ポートＰＡ，ＰＢは一度に読み取ることができる。図５は、このＭＰＵ７２を中心として構成される制御回路７０の回路構成図である。この制御回路７０は、移動情報判定部として作動するが、同時にパチンコ玉発射装置８０を構成するモータ８２の回転数やパチンコ遊技台の役物などをも駆動制御する。」
　　　　　　　　　　　　　　　　　　　　　　　　　　　
・記載事項６
　「【００３３】以上説明したように、本実施例のパチンコ玉発射検出装置２によれば、この装置をパチンコ玉の発射経路５の１箇所に設置するだけで、パチンコ玉Ｐの通過方向を確実に特定し、パチンコ遊技盤３に供給されるパチンコ玉Ｐの総数ＣＳを確実に検出することができる。なお、総数ＣＳは、所定時間毎に０にリセットし、単位時間当たりの数としてカウントしてもよい。また、本実施例のパチンコ玉発射検出装置２は、パチンコ玉Ｐを非接触で確実に検出することができる。しかも、その検出部１０は、コイルＬ１を回路基板１３に形成された配線パターン５２により構成していることから、回路基板１３と一体化され、部品点数が低減される。このため、信頼性の向上を図ることができる。更に、部品点数が低減されることから、組立作業性に優れ、特に、コイルＬ１の回路基板１３への組付けが不要となる。しかも、この検出部１０の大きさは、回路基板１３そのものの大きさに制限されるだけであり、厚みの薄いコンパクトなものとすることができる。」
　　　　　　　　　　　　　　　　　　　　　　　　　　　　
・記載事項７
　「【００３５】次に本発明の他の実施例について説明する。図７は、第２実施例の概略構成を示す回路図である。図示するように、この検出装置は、第１実施例で説明した検出部１０Ａ，検出部１０Ｂをそのまま使用し、制御回路７０内にハード的にパチンコ玉の通過方向を含む検出回路を備えるものである。検出結果は、ＭＰＵ７２の割込入力ＩＮＴと入力ポートＰＣとによりＭＰＵ７２に通知される。」
　　　　　　　　　　　　　　　　　　　　　　　　　　
・記載事項８
　「【００３７】検出装置の検出部１０Ａもしくは検出部１０Ｂがパチンコ玉Ｐを検出すると、図８に示すように、ナンドゲート２０４の出力はハイレベルとなり、ＭＰＵ７２に割込要求ＩＮＴがかかる。一方、検出部１０Ａおよび検出部１０Ｂの出力の変化にはパチンコ玉Ｐの通過に伴うずれが存在するから、Ｄ型フリップフロップ２０５の出力Ｑは、図８（Ａ）に示すように、パチンコ玉Ｐが検出部１０Ａ側から検出部１０Ｂ側に通過する場合にはロウレベルに維持され、逆の場合には、図８（Ｂ）に示すように、ハイレベルにセットされる。従って、割込要求を受けたＭＰＵ７２が、所定時間後に入力ポートＰＣの状態を読み取ることにより、パチンコ玉Ｐの通過方向を知ることができる。」
　　　　　　　　　　　　　　　　　　　　　　　　　　　
・記載事項９
　「【００３９】次に本発明の第３の実施例について説明する。この実施例の検出装置は、第１実施例と較べて、発振回路ＣＯやスイッチング回路ＳＷを同一基板上に２組設けると共に、更にパチンコ玉Ｐの通過方向を検出する方向判別回路ＤＤも基板上に組み込んだものである。この検出装置は、図９に示すように、被検出体が通過する開口部２０９を有する基板２１０の一方の面に、第１のコイルＬ１Ａと第１の発振回路ＣＯＡと第１のスイッチング回路ＳＷＡと方向判別回路ＤＤとを備える。また、この基板２１０の裏面には、第２のコイルＬ２Ｂと第２の発振回路ＣＯＢと第２のスイッチング回路ＳＷＢとが備えられている。
【００４０】検出装置の電気的な構成を図１０に示す。第１，第２のスイッチング回路ＳＷＡ，ＳＷＢからの出力は、方向判別回路ＤＤに入力されており、この
 
　　　　　　　　　　　　　　　　　　　　　　　
・記載事項１０
　「【００４６】以上のいくつかの実施例では、コイルＬ１を構成する配線パターン５２は、表面と裏面に１ターンを設けているに過ぎないが、これに替えて、図１２に示すように、回路基板６０上のコイルＬ１を構成する配線パターン６１を表面と裏面に２ターンずつ形成してもよい。もとより、更にターン数の多い構成も可能である。また、検出部は、２個に限定されるものではなく、３以上であっても差し支えない。」
　　　　　　　　　　　　　　　　　　　　　　　　　　
　以上の記載事項１〜１０及び図１〜図１３によれば、
　　　　　　　　　　　　　　　　　　　　　　
　「パチンコ玉Ｐが貫通する貫通孔４１、４２を有し、この貫通孔４１、４２がパチンコ玉Ｐの発射経路５に沿うように配置された上蓋１１および下箱１２からなる立方体形状の箱体と、上蓋１１および下箱１２からなる立方体形状の箱体の貫通孔４１、４２に貫通孔５１が整合するように配置され、回路基板６０と、回路基板６０の表面と裏面に２ターンずつ形成されたコイルＬ１Ａ、Ｌ１Ｂと、それぞれコイルＬ１を有する高周波回路ＣＯを備えたパチンコ玉発射検出装置２。」（以下、「引用例発明」という。）
　　　　　　　　　　　　　　　　　　　　
が記載されている。
　　　　　　　　　　　　　　　　　　　　　　　　　　　　
（２）対比
　引用例発明と本願補正発明を対比すると、引用例発明の「パチンコ玉Ｐ」は、本願補正発明の「パチンコ玉」に相当し、以下同様に、「貫通」は「通過」に「貫通孔４１、４２」は「通過孔」に、「配置」は「整合配置」に、「上蓋１１および下箱１２からなる立方体形状の箱体」は「ケース」に、「貫通孔５１」は「内側空間」に、「回路基板６０の表面と裏面に２ターンずつ形成されたコイルＬ１Ａ、Ｌ１Ｂ」は「巻回された２つの検出コイル」にそれぞれ相当している。
　　　　　　　　　　　　　　　　　　　　　　　　　　　
　そして、引用例発明については、以下のことがいえる。
１）引用例の記載事項１の【要約】の「・・・パチンコ遊技盤３に供給されるパチンコ玉の総数を検出する。」なる記載に基づけば、引用例のパチンコ玉発射検出装置２における検出には、発射されたパチンコ玉の数の計数が含まれることは明らかであるから、引用例発明のパチンコ玉発射検出装置２はパチンコ玉Ｐを計数するものということができる。
　したがって、引用例発明のパチンコ玉発射検出装置は、パチンコ玉を計数するパチンコ玉計数検出器と実質的に言い換えることができる。
　また、上記のように発射経路５内をパチンコ玉Ｐが通過して上記パチンコ玉計数発射検出装置２によりパチンコ玉Ｐの発射数が計数されているのであるから、引用例発明の「発射経路５」は実質的にパチンコ玉の「通過路」と言い換えることができることも明らかなことである。
　　　　　　　　　　　　　　　　　　　　　　　　　　
２）　上記１）において示したように、パチンコ玉計数検出装置２の貫通孔が、パチンコ玉の発射数を計数するために、パチンコ玉Ｐの発射経路５に整合するように配置されるべきことは、検出装置を発射経路５に設ける以上自明な技術常識にすぎない。
　また、本願補正発明の「整合するように通過孔に配置され」なる構成は、本願補正発明のパチンコ玉計数検出器は通過路に配置されていることは明らかであり、かつ、上記記載のように通過孔に通過孔を配置することはできないから、本願補正発明の「整合するように通過孔に配置され」の「通過孔」は「通過路」を意味するものと解されるので、以下そのように理解して検討する。
　そして、引用例発明の「上蓋１１および下箱１２からなる立方体形状の箱体」「貫通孔４１、４２」「貫通孔５１」は、本願補正発明の「ケース」「通過孔」「内側空間」に相当していることは上記したとおりであり、かつ、引用例発明の「発射経路５」はパチンコ玉の「通過路」と実質的に言い換えることができることも上記したとおりである。
　そうすると、引用例発明は、「ケースの通過孔に内側空間が整合するように通過路に配置され」なる構成を備えているということができる。
　　　　　　　　　　　　　　　　　　　　　　　　　　　　　　　
３）　記載事項９の「【００３９】・・・発振回路ＣＯやスイッチング回路ＳＷを同一基板上に２組設けると共に、更にパチンコ玉Ｐの通過方向を検出する方向判別回路ＤＤも基板上に組み込んだものである。この検出装置は、図９に示すように、・・・第１のコイルＬ１Ａと第１の発振回路ＣＯＡと第１のスイッチング回路ＳＷＡと方向判別回路ＤＤとを備える。また、この基板２１０の裏面には、第２のコイルＬ２Ｂと第２の発振回路ＣＯＢと第２のスイッチング回路ＳＷＢとが備えられている。
【００４０】検出装置の電気的な構成を図１０に示す。第１，第２のスイッチング回路ＳＷＡ，ＳＷＢからの出力は、方向判別回路ＤＤに入力されており、この方向判別回路ＤＤの出力ＳＡ，ＳＢが、マイクロコンピュータに入力されている。方向判別回路ＤＤは、第１，第２のスイッチング回路ＳＷＡ，ＳＷＢからの信号ＱＡ，ＱＢを入力して・・・Ｄ型フリップフロップ２１５の負出力Ｑｎ，正出力Ｑｐを出力ＳＡ，ＳＢとして出力する・・・から構成されている。」なる記載、および図９や図１０に基づけば、コイルＬ１Ａと高周波発振回路ＣＯＡとスイッチング回路ＳＷＡの組と、コイルＬ１Ｂと高周波発振回路ＣＯＢとスイッチング回路ＳＷＢの組と、１つの方向判別回路ＤＤとから、パチンコ玉発射検出装置において、それぞれコイルＬ１を有する高周波発振回路ＣＯを含む２つのパチンコ玉検出回路が構成されているといえることは明らかである。
　そして、引用例発明の「コイルＬ１」「高周波発振回路ＣＯ」は本願補正発明の「検出コイル」「高周波発振回路」に相当していることは上記したとおりである。　
　そうすると、引用例発明の「コイルＬ１を有する高周波回路ＣＯを備え、」は、本願補正発明の「それぞれ検出コイルを有する高周波発振回路を含む２つのパチンコ玉検出回路」と実質的に言い換えできる。
　　　　　　　　　　　　　　　　　　　　　　　　　
　上記の１）から３）の点を考慮すると、本願補正発明と引用例発明は、
　　　　　　　　　　　　　　　　　　　　　　　　　　
　「パチンコ玉が通過する通過孔を有し、この通過孔がパチンコ玉の通過路に沿うように整合配置されたケースと、ケースの通過孔に内側空間が整合するように通過路に配置され、巻回された２つの検出コイルと、それぞれ検出コイルを有する高周波発振回路を含む２つのパチンコ玉検出回路とを備えたパチンコ玉計数検出器。」の点で一致し、以下の点で相違していると認められる。
　　　　　　　　　　　　　　　　　　　　　　　　　　　
＜相違点１＞
　２つの検出回路の各検出コイルが、本願補正発明においては、断面「山」字状の１つのコイルボビンに巻回されているのに対して、引用例発明においては、１つの回路基板６０の表面と裏面に巻回状の配線パターン６１として設けられている点。
　　　　　　　　　　　　　　　　　　　　　　　　　　　　　
＜相違点２＞
　パチンコ玉の通過路に沿って間隔を置いて整合配置した検出コイルが、本願補正発明においては、２つの検出コイルの間の中心間隔を２つのパチンコ玉検出回路の出力の電気角が９０度となるように、パチンコ玉の直径の１/４に設定しているのに対して、引用例発明は、２つの検出コイルの間の中心間隔について、パチンコ玉の直径に関連して格別規定していない点。
　　　　　　　　　　　　　　　　　　　　　　　　　　　　　
（３）判断
　上記相違点１、２について、以下に検討する。
　　　　　　　　　　　　　　　　　　　　　　　　　　　　　　
＜相違点１について＞
　特開平８−２２２４４１号公報の図３、実願昭６２−４７３１２号（実開昭６３−１５３５０７号）のマイクロフイルム、実願昭５５−０１３３１１号（実開昭５６−１１４５０７号）マイクロフイルムの第２図等に見られるように、一般的に高周波コイルを形成する際、コイルボビンを断面「山」字状に形成し、そのコイルボビンに２つの検出コイルを巻回することは周知な技術にすぎない（以下、「周知技術Ａ」という。）。
　そして、引用例発明と上記周知技術Ａは、高周波コイル技術において互いに関連しているのであるから、相互に利用することに格別の困難性はない。
　そうすると、引用例発明の１つの回路基板６０の表面と裏面に巻回状に設けた高周波回路用の配線パターン６１に代えて、上記高周波コイルに関する周知技術Ａを採用することにより、２つの検出回路の検出コイルが、断面「山」字状の１つのコイルボビンに巻回されるようにすること、すなわち本願補正発明の上記相違点１に係る構成となすことは、当業者が容易になし得る程度のことということができる。
　　　　　　　　　　　　　　　　　　　　　　　　　　　　　　　
＜相違点２について＞
　引用例の記載事項８の「【００３７】検出装置の検出部１０Ａもしくは検出部１０Ｂがパチンコ玉Ｐを検出すると、図８に示すように、ナンドゲート２０４の出力はハイレベルとなり、ＭＰＵ７２に割込要求ＩＮＴがかかる。一方、・・・Ｄ型フリップフロップ２０５の出力Ｑは、図８（Ａ）に示すように、パチンコ玉Ｐが検出部１０Ａ側から検出部１０Ｂ側に通過する場合にはロウレベルに維持され、逆の場合には、図８（Ｂ）に示すように、ハイレベルにセットされる。従って、割込要求を受けたＭＰＵ７２が、所定時間後に入力ポートＰＣの状態を読み取ることにより、パチンコ玉Ｐの通過方向を知ることができる。」なる記載、および図７、図８（Ａ）に基づけば、パチンコ玉の検出部Ａへの進入から検出部Ａを通過し終えるまでの間、ＭＰＵに送信される割込信号ＩＮＴはハイレベルとなり、かつ、パチンコ玉の検出部Ａへの進入に伴い、検出部Ａの出力ＱＡはロウレベルになり、次いで、検出部Ｂへのパチンコ玉の進入に伴い、検出部Ｂの出力はロウレベルになっており、しかも、検出部Ａによる出力ＱＡがロウレベルである中間付近で、検出部Ｂがロウレベルに変化していることが見てとれる。
　また、各種検出センサにおいて、センサの検出精度を高めるため、複数のセンサ間の間隔、位置を調節することは周知な技術（以下、「周知技術Ｂ」という。）に過ぎず（必要であれば、特開平６−２１３６８１号公報、および特開平４−３０６８９３号公報、特開平３−８５４０６号公報等参照されたい）、検出精度を高めるための位置もしくは間隔調整を行う際、最もセンサの検出精度の高い位置に調整することは技術常識にすぎないから、検出精度の高めるべく調整する際に、出力信号の電気角が９０度となるように、その距離や間隔が検出対象物であるパチンコ玉の直径の１／４とすることは格別の困難ということはできない。
　さらに、引用例発明のパチンコ玉計数検出器は、パチンコ玉の計数のためのパチンコ玉検出部にセンサを用いており、上記周知技術Ｂとセンサ技術において関連しているのであるから、引用例発明と周知技術Ｂは相互に利用することに格別の困難性はない。
　そうすると、引用例発明のパチンコ玉計数器の検出コイルの間において、上記周知技術Ｂおよび技術常識を参照して、位置調整のためのスケールとして、パチンコ玉の直径を用いて、２つの検出コイルの間の中心間隔を２つのパチンコ玉検出回路の出力の電気角が９０度となるように、パチンコ玉の直径の１/４に設定すること、すなわち、本願補正発明の上記相違点２に係る構成となすことは、当業者が容易になし得る程度のことということができる。
　　　　　　　　　　　　　　　　　　　　　　　　　　　
（４）作用効果およびまとめ
　本願補正発明によって奏する効果も、引用例発明および周知技術Ａ、Ｂ並びに技術常識に基づいて、普通に予測できる範囲内のものであって格別のものがあると認められない。
　したがって、本願補正発明は、引用例発明および周知技術Ａ、Ｂ並びに技術常識に基づいて、当業者が容易に想到することができたものであるから、特許法第２９条第２項により特許出願の際独立して特許を受けることができないものである。
　　　　　　　　　　　　　　　　　　　　　　　　　
（５）補正却下の判断
　上記のとおり、本願補正発明は、平成１８年改正前特許法第１７条の２第５項で準用する同法第１２６条第５項の規定に違反するものであるので、平成１８年３月１４日付の手続補正は、特許法第１５９条第１項で準用する同法第５３条第１項の規定により却下されるべきものである。
　　　　　　　　　　　　　　　　　　　　　　　　　　　　　　　
３．本願発明について
　平成１８年３月１４日付の手続補正は上記のとおり却下されているので、平成１７年８月２２日付の手続補正書における特許請求の範囲の請求項１〜６に係る発明は、その請求項１〜６に記載されたとおりと認められ、その請求項１に記載された発明は、下記のとおりに特定されるものである。
　　　　　　　　　　　　　　　　　　　　　　　　　　　　　　　　
　「【請求項１】
　パチンコ玉の通過路に内側空間がパチンコ玉の通過路に整合するように配置された検出コイルを有する高周波発振回路を含むパチンコ玉検出回路を備え、このパチンコ玉検出回路により検出コイルの内側空間を通過するパチンコ玉を検出して、パチンコ玉を計数するパチンコ玉計数検出器において、
　前記検出コイルを有する高周波発振回路を含むパチンコ玉検出回路は２つ備えられ、２つの検出コイルは、当該２つの検出コイルの中心間隔を前記２つのパチンコ玉検出回路の出力の電気角が９０度となるように、パチンコ玉の直径の１/４に設定し、前記パチンコ玉の通過路に沿って間隔を置いて整合配置したことを特徴とするパチンコ玉計数検出器。」（以下、「本願発明」という。）
　　　　　　　　　　　　　　　　　　　　　　　　　　　　　　　
（１）引用例について
　引用例の記載事項は、上記［２］（１）引用例について記載したとおりである。
　　　　　　　　　　　　　　　　　　　　　　　　　　　　　　　
（２）対比・判断
　本願発明は、上記［２］（２）対比〜（４）作用効果およびまとめで検討した本願補正発明の「パチンコ玉が通過する通過孔を有し、この通過孔がパチンコ玉の通過路に沿うように整合配置されたケースと、ケースの通過孔に内側空間が整合するように通過孔に配置された断面「山」字状の１つのコイルボビンと」を「パチンコ玉の通過路に内側空間がパチンコ玉の通過路に整合するように配置された検出コイルを有する高周波発振回路を含むパチンコ玉検出回路を備え、このパチンコ玉検出回路により検出コイルの内側空間を通過するパチンコ玉を検出して、パチンコ玉を計数するパチンコ玉計数検出器において」とし、また、「コイルボビンに巻回された２つの検出コイルと、それぞれ検出コイルを有する高周波発振回路を含む２つのパチンコ玉検出回路とを備え、」の「コイルボビンに巻回された２つの検出コイルと、それぞれ」を削除して、「前記検出コイルを有する高周波発振回路を含むパチンコ玉検出回路は２つ備えられ、」とし、さらに本願補正発明の「２つの検出コイルの中心間の間隔はパチンコ玉の直径の１／４に設定されている」にパチンコ玉の直径の１／４と同意味の「前記２つのパチンコ玉検出回路の出力の電気角が９０度となるように、」を付加して「２つの検出コイルは、当該２つの検出コイルの中心間隔を前記２つのパチンコ玉検出回路の出力の電気角が９０度となるように、パチンコ玉の直径の１/４に設定し、」としたものである。
　そうすると、本願発明の構成要件をすべて含み、さらに他の構成要素を付加したものに相当する本願補正発明が、上記［２］（２）対比〜（４）作用効果およびまとめに記載したとおり、引用例発明および周知技術Ａ、Ｂ並びに技術常識に基づいて、当業者が容易に発明することができたものであるので、特許法第２９条第２項の規定により特許を受けることができないものである。
したがって、本願発明も、同様の理由により、引用例発明および周知技術Ａ、Ｂ並びに技術常識に基づいて、当業者が容易に発明をすることができたものである。
　　　　　　　　　　　　　　　　　　　　　　　　　　　　
（３）むすび
　以上のとおり、本願発明は、引用例発明および周知技術Ａ、Ｂ並びに技術常識に基づいて、当業者が容易に発明をすることができたものであるから、特許法第２９条第２項の規定により特許を受けることができない。
　したがって、他の請求項について検討するまでもなく本願は拒絶されるべきものである。
　よって、結論のとおり審決する。